(57)【要約】【解決手段】本昇降機能を持つ高所照明灯設備は、正逆モ一タ１２０が設けられた本体１００；前記本体１００の下部に設けられたケーシング１６０；前記ケーシング１６０内で前記本体１００と所定距離ほど離隔して設けられ、上側接触端子２４０が設けられた上側端子部２００； 前記本体１００と連結されたワイヤロープ１４０によって上下へ移動可能であり、前記上側接触端子２４０に対応する下側接触端子４２０が設けられた昇降体４００；及び前記ケーシング１６０に設置されて、スプリング３３０によって水平状態を弾性的に維持するストッパー３００を含む。前記昇降体４００の側面には、前記ストッパー３００と部分接触する位置に係止部４３０が形成されて、前記係止部４３０が前記ストッパー３００の上部へ上昇した後下降すると、前記ストッパー３００に係止状態になって前記昇降体４００の高さが固定され、前記昇降体４００の側面が前記ストッパー３００の上へ移動すると、係止が解除されて前記昇降体４００を下降させうる。【選択図】図２
2004518245.tif 000002
【特許請求の範囲】
【請求項１】
一定の高さに設けられ、内部にワイヤロープ１４０を巻き取るドラム１３０及び前記ドラム１３０を回転させる正逆モ一タ１２０が設けられた本体１００；
前記本体１００の下部に設けられて、下部が開放されたケーシング１６０；
前記ケーシング１６０内で前記本体１００と所定距離ほど離隔して設けられ、下端部に一つ以上の上側接触端子２４０が設けられた上側端子部２００；
照明灯１０を設けるための連結部４４０を備えて、前記ワイヤロープ１４０に連結されて前記正逆モ一タ１２０の駆動によって上下へ移動可能であり、上端部に前記上側接触端子２４０に対応する下側接触端子４２０が設けられた昇降体４００；及び
前記ケーシング１６０に回動自在に設けられて、スプリング３３０によって水平状態を弾性的に維持するストッパー３００を含んで、
前記昇降体４００の側面には、前記ストッパー３００と部分接触する位置に係止部４３０が形成されて、前記係止部４３０が前記ストッパー３００の上部に上昇した後下降すると、前記ストッパー３００に係止状態になって前記昇降体４００の高さが固定され、前記昇降体４００の側面が前記ストッパー３００の上部へ移動すると、係止が解除されて前記昇降体４００を下降させうることを特徴とする昇降機能を持つ高所照明灯設備。
【請求項２】
前記ワイヤロープ１４０の所定位置には接触子１４１が設けられ、前記本体１００には前記昇降体４００が前記上側端子２００に隣接したとき、前記接触子１４１と接触する第１リミットスイッチ５００が設けられて、前記昇降体４００を上昇移動させる過程で、前記接触子１４１を感知したときから前記正逆モ一タ１２０の電源を短い間隔で繰り返して連結／遮断させ、ゆっくり駆動させることを特徴とする請求項１記載の昇降機能を持つ高所照明灯設備。
【請求項３】
前記ワイヤロープ１４０の上端には所定長さほど追加の接触子１４２が設けられ、 前記追加の接触子１４２は前記昇降体４００を下降させる過程で、前記昇降体４００が地面に隣接したときから上記第１リミットスイッチ５００と接触して前記正逆モ一タ１２０の電源を短い間隔で繰り返して連結／遮断させ、前記昇降体４００をゆっくり下降して止めるようにすることを特徴とする請求項２記載の昇降機能を持つ高所照明灯設備。
【請求項４】
前記本体１００と前記ケーシング１６０との間には、前記上側端子部２００を貫通するようにガイド棒２１１が設けられて、前記上側端子部２００は前記ガイド棒２１１に沿って上下移動が可能であり、
前記ガイド棒２１１には、前記上側端子部２００と前記本体１００との間にスプリング２３０が設けられて、前記上側端子部２００を下方へ押圧することを特徴とする請求項１記載の昇降機能を持つ高所照明灯設備。
【請求項５】
前記ケーシング１６０には、前記上側端子部２００が所定高さまで移動することを感知して、前記昇降体４００の係止部４３０が前記ストッパー３００の上方へ外れる開始点を判断するための第２リミットスイッチ５１０が設けられ、
上記第２リミットスイッチ５１０の感知信号によって前記正逆モ一タ１２０の駆動を停止させることを特徴とする請求項３記載の昇降機能を持つ高所照明灯設備。
【請求項６】
前記第２リミットスイッチ５１０の感知信号によって停止された前記正逆モ一タ１２０は、前記係止部４３０が前記ストッパー３００から外れる瞬間、瞬間的に逆駆動して前記昇降体４００を下方へ少し移動させることを特徴とする請求項５記載の昇降機能を持つ高所照明灯設備。
【請求項７】
前記本体１００の下部には、前記ストッパー３００が前記昇降体４００の側面を完全に外れるほど上昇したとき、前記上側端子部２００と接触する第３リミットスイッチ５２０が設けられ、
前記第３リミットスイッチ５２０の感知信号によって前記正逆モ一タ１２０を逆駆動して、前記昇降体４００を下降させることを特徴とする請求項１記載の昇降機能を持つ高所照明灯設備。
【請求項８】
前記上側端子部２００に設けられた上側接触端子２４０のうち、少なくとも一つにはスプリング２５０が設けられて、当該上側接触端子を前記昇降体４００の方向へ押圧することを特徴とする請求項１記載の昇降機能を持つ高所照明灯設備。
【請求項９】
前記上側端子部２００に形成された上側接触端子２４０は、円形の環状の内側及び外側接触端子２４１、２４２からなり、
前記昇降体４００に形成された下側接触端子４２０は、前記上側接触端子２４０に対応する円形の環状の内側及び外側接触端子４２１、４２２からなることを特徴とする請求項１記載の昇降機能を持つ高所照明灯設備。
【請求項１０】
前記上側端子部２００に形成された上側接触端子２４０は、円形の環状の内側及び外側接触端子２４１、２４２からなり、
前記昇降体４００に形成された下側接触端子４２０は、前記内側及び外側接触端子２４１、２４２と同じ半径に位置する四つの接点６００からなることを特徴とする請求項１記載の昇降機能を持つ高所照明灯設備。
【請求項１１】
前記昇降体４００に形成された下側接触端子４２０は、円形の環状の内側及び外側接触端子４４１、４４２からなり、
前記上側端子部２００に形成された上側接触端子２４０は、前記内側及び外側接触端子４２１、４２２と同じ半径に位置する四つの接点６００からなることを特徴とする請求項１記載の昇降機能を持つ高所照明灯設備。
【請求項１２】
前記上側端子部２００に形成された上側接触端子２４０は、円形の環状の内側及び外側接触端子２４１、２４２からなり、
前記昇降体４００に形成された下側接触端子４２０は、前記内側及び外側接触端子２４１、２４２と各々同じ半径に位置する二つの接点６００からなることを特徴とする請求項１記載の昇降機能を持つ高所照明灯設備。
【請求項１３】
前記昇降体４００に形成された下側接触端子４２０は、円形の環状の内側及び外側接触端子４４１、４４２からなり、
前記上側端子部２００に形成された上側接触端子２４０は、前記内側及び外側接触端子４２１、４２２と各々同じ半径に位置する二つの接点６００からなることを特徴とする請求項１記載の昇降機能を持つ高所照明灯設備。
【発明の詳細な説明】
【０００１】
【発明の属する技術分野】
本考案は高所照明灯設備に関するものであり、より詳しくは照明灯が設けられた昇降体を建物の天井に取付けれた本体にワイヤロープで連結して上昇・下降させるとともに、昇降体を本体に固定させることができ、本体と昇降体に設けられた接点端子が昇降体の回転にかかわらず、常に安定した接触状態を維持する上昇・下降機能をもつ高所照明灯設備に関するものである。
【０００２】
【背景技術】
一般に、ホテルロビーや工場の天井及び体育館、道路の街灯には、いわゆる高所照明灯というものが取付けられる。このような高所照明灯としては、ナトリウム電球、水銀電球が主に設けられており、この高所照明灯の寿命は５０００〜６０００時間程に限られているため、周期的に交換しなければならない。また、ホテルロビーや結婚式場などのようなサービス業界に設けられる高所照明灯は、外観と展示效果のために定期的な掃除作業とともに電球を交換する必要がある。
【０００３】
このような高所照明灯は街灯の場合、その高さが７〜１０ｍの高い所に位置されているため、高所照明灯の電球掃除と交換のためには、バスケットが設けられた高所作業用のクレーンやはしご車を使って作業が行われている。また、比較的に高さが低い結婚式場及びホテルロビーなどでは、梯子を用いて電球掃除及び交換の作業が行われているが、この場合、墜落などによる事故の危険性がある。さらに、作業を行う場合には、最小３人以上が一組になって作業が行え、また高所照明灯の作業場所に大型作業施設であるクレーン及びはしご車が利用されることによって、その程作業時間が遅れることは勿論、作業空間を広く占めるようになる。従って、高所照明灯の修理及び交換のときには、長時間の間工場ラインをストップしたり体育館が使用できなくなるため、迅速に作業を終らなければならないという困難がある。特に、街灯を整備するときには、カーゴクレーンが一つの車線を占有して遮断することによって、交通渋滞の誘発と事故危険性を提供する問題点が生じる。
【０００４】
結論的に、このような作業方法で高所照明灯整備を実施すると、多数の整備人力とともに、高価の附帯装備の使用による相当な整備費用を負担しなければならず、同時に作業者が感電及び墜落などの各種危険に露出され災害が発生するようになるため、物的及び人的の被害をもたらすようになる様々な諸般の問題点が生じる。
【０００５】
このような問題点を解決するために、高所照明灯が取付けられた所まで登らず高所照明灯を整備者の位置した地面まで下降させ整備した後、また上昇させ天井に固定できる高所照明灯の作業方法と、それによる装置が続々開発されてきた。
【０００６】
このように天井に取付けられた高所照明灯を地面まで上昇・下降させる装置としては、ワイヤを照明灯に固定し、このワイヤを天井を経由して地面に固定されたプーリに巻き取られるようにすることによって、ユーザがこのプーリに連結されたハンドルバーを操作して高所照明灯を昇・下降させる高所照明灯の手動昇降装置と、ハンドルバーの代わりに正逆モ一タを備える高所照明灯の自動昇降装置が案出されている。
【０００７】
高所照明灯の自動昇降装置は、一般的に高所照明灯を天井部位に固定させるソケットと、ソケット部に挿入・接点され下側部には電球が固定される電灯器具と、この電灯器具の上側部に一側端が固定されると共に他側端はソケット部の一定位置に付設したドラム上に所定の長さほど巻き取られた状態に備えられるワイヤと、このワイヤをユーザーの選択によってドラム上で自動的に巻き戻したり巻き取ることによって、電球固定部を上昇・下降させる正逆モ一タとを備えるようになる。今までは、このような基本的な構成原理を大きく外れない多数の高所照明灯の自動昇降装置が提示されてきた。
【０００８】
ここで、高所照明灯の上昇・下降時には、上部ソケットと下部の灯器具が相互に接点される部位が最も重要な役目を行うようになる。この理由は、ソケットと灯器具がお互いに正確に接点された状態で高所照明灯が自分の役割を行えるからである。
【０００９】
このように高所照明灯の昇降装置の接点部の一例が特開平２−９４３１２号公報に提案されている。この文献から提示された照明灯の昇降装置は、照明灯の回転を防ぐため二つのワイヤを用いて灯器具を昇・下降させる構造を持つ。この技術は、灯器具自体の回転はある程度防止できるが、モ一タとドラム、ワイヤが二重で要るため、構造が複雑で製造原価が上がる短所があった。
【００１０】
また、実開昭５９−１０１３１３号公報にも、灯器具が回転することを防ぐため、上部ソケットを一定角度の傾きにテーパさせた後、このテーパの内側に案内されつつ灯器具が結合される雌雄構造でなっている。しかし、この技術も、円滑で正確な接点の状態をなし難いという問題点があった。
【００１１】
このように詳述した従来の高所照明灯の自動昇降装置は、雌雄構造の接点部が相互に円滑に接触されないため、従来には接点が正しくなるまで灯器具の上昇・下降を何回も繰り返すことが多かった。
【００１２】
このような問題点によって従来に提案された多数の高所照明灯の昇降装置は、その有用性と実用性があるにもかかわらず、実験的な設置を除いては全く実用化にされない実情である。
【００１３】
【発明の開示】
本発明はこのような従来技術の短所及び問題点を解決するために成されたものであり、本発明の目的は建物の天井又は街灯のように高い位置に取り付けられた本体と、上下に移動できる昇降体とをワイヤロープで互いに連結した後、本体と昇降体に設けられた接触端子を円形の環状に構成することで、昇降体がワイヤロープを中心に回転しても、各接触端子が常に安定した接触状態を維持できる上昇・下降機能を持つ高所照明灯設備を提供するものである。
【００１４】
このような目的を達成しために、本発明は一定の高さに設けられ、内部にワイヤロープを巻き取るドラム及び前記ドラムを回転させる正逆モ一タが設けられた本体；前記本体の下部に設けられて、下部が開放されたケーシング；前記ケーシング内で前記本体と所定距離ほど離隔して設けられ、下端部に一つ以上の上側接触端子が設けられた上側端子部；照明灯を設けるための連結部を備えて、前記ワイヤロープに連結されて前記正逆モ一タの駆動によって上下へ移動可能であり、上端部に前記上側接触端子に対応する下側接触端子が設けられた昇降体；及び前記ケーシングに回動自在に設置されて、スプリングによって水平状態を弾性的に維持するストッパーを含んで、前記昇降体の側面には、前記ストッパーと部分接触する位置に係止部が形成されて、前記係止部が前記ストッパーの上部に上昇した後下降すると、前記ストッパーに係止状態になって前記昇降体の高さが固定され、前記昇降体の側面が前記ストッパーの上部に移動すると、係止が解除されて前記昇降体を下降させうる昇降機能を持つ高所照明灯設備を提供するものである。
【００１５】
望ましく、前記ワイヤロープの所定位置には接触子が設けられ、前記本体には前記昇降体が前記上側端子に隣接したとき、前記接触子１４１と接触する第１リミットスイッチが設けられて、前記昇降体を上昇移動させる過程で、前記接触子を感知したときから前記正逆モ一タの電源を短い間隔で繰り返して連結／遮断させゆっくり駆動させる。
【００１６】
また、前記ワイヤロープの上端には所定長さほど追加の接触子が設けられ、前記追加の接触子は前記昇降体を下降させる過程で、前記昇降体が地面に隣接したときから上記第１リミットスイッチと接触して前記正逆モ一タの電源を短い間隔で繰り返して連結／遮断させ前記昇降体をゆっくり下降して止められるようにする。
【００１７】
また、前記本体と前記ケーシングとの間には、前記上側端子部を貫通するようにガイド棒が設けられて、前記上側端子部は前記ガイド棒に沿って上下移動が可能であり、前記ガイド棒には、前記上側端子部と前記本体との間にスプリングが設けられて前記上側端子部を下方へ押圧することが望ましい。
【００１８】
ここで、前記ケーシングには、前記上側端子部が所定高さまで移動することを感知して、前記昇降体の係止部が前記ストッパーの上方へ外れる開始点を判断するための第２リミットスイッチが設置され、上記第２リミットスイッチの感知信号によって前記正逆モ一タの駆動を停止させうる。
【００１９】
また、前記第２リミットスイッチの感知信号によって停止された前記正逆モ一タは、前記係止部が前記ストッパーから外れる瞬間、瞬間的に逆駆動して前記昇降体を下方へ少し移動させうる。
【００２０】
一方、前記本体の下部には、前記ストッパーが前記昇降体の側面を完全に外れるほど上昇したとき、前記上側端子部と接触する第３リミットスイッチが設置されて、前記第３リミットスイッチの感知信号によって前記正逆モ一タを逆逆駆動して、前記昇降体４００を下降させることになる。
【００２１】
また、前記上側端子部に設けられた上側接触端子の中、少なくとも一つにはスプリングが設置されて、当該上側接触端子を前記昇降体の方向へ押圧できる。
【００２２】
また、前記上側端子部に形成された上側接触端子と前記昇降体に形成された下側接触端子は、昇降体が回転しても常に接点が可能な形態で作製される。例えば、全ての上下側接触端子が円形の環状で構成されうる。また、上下側接触端子のうち、一方は円形の環状で構成され、他方は接点形態で作製されうり、このときの接点の個数は二つまたは四つになることができる。また、上下側接触端子は内側と外側に二重で形成されうり、このときの内側と外側のうち、一方は円形の環状で作製し、他方は接点形態で作製できる。
【００２３】
【発明の実施の形態】
明細書に統合されてあり明細書の一部を構成する添付図面は発明の現在の望ましい実施例を例示し、以下の望ましい実施例の詳細な説明とともに本発明の原理を説明する役割をする。
図１は、本発明に係る昇降機能を持つ高所照明灯設備に照明灯が設けられて下降された状態を示す概略図、
図２は、本発明に係る高所照明灯設備の本体と昇降体が相互に分けられた状態を正面から見た断面図、
図３は、本発明に係る高所照明灯設備の本体と昇降体が相互に結合された状態を正面から見た断面図、
図４は、本発明に係る高所照明灯設備の本体と昇降体が分けられた状態を側面から見た断面図、
図５は、本発明に係る高所照明灯設備の本体と昇降体が相互に結合された状態を側面から見た断面図、
図６は、本発明に係る高所照明灯設備の本体を上から見た内部構成図、
図７は、本発明に係る高所照明灯設備の上側端子部を示す斜視図、
図８は、図７の上側端子部を示す底面図、
図９は、本発明に係る高所照明灯設備のストッパーを示す斜視図、
図１０は、図９のストッパーが本体のケーシングに設けられた構造を示す平面図、
図１１は、図９に示されたストッパーの回転区間を示する図面、
図１２は、本発明に係る高所照明灯設備の昇降体を示する斜視図、
図１３ないし図１５は、本発明に係る高所照明灯設備で昇降体の高さ変化による各部品の変化を示す図面、
図１６ａないし図１６ｅは、昇降体の昇降過程でストッパーと昇降体の連動過程を説明するための図面、
図１７ａないし図１７ｇは、昇降体の下降過程でストッパーと昇降体の連動過程を説明するための図面、
図１８ａないし図２０ｂは、本発明に係る高所照明灯設備に適用された各接触端子の多様な変形例を示す図面である。
【００２４】
以下、本発明の実施例による昇降機能を持つ高所照明灯設備を添付された図面に基づいて詳しく説明する。
【００２５】
図１は、本発明に係る昇降機能を持つ高所照明灯設備の概略的な構成を示す。図１を参照すると、本発明による高所照明灯設備は、概略的に建物の天井又は街灯のような高い位置に取付けられる本体１００と、ワイヤロープ１４０により本体１００と連結され上下に移動し、電灯１０が設けられた昇降体４００とを含む。本体１００は支持ブラケット１１０と結合され、支持ブラケット１１０の他端は建物の天井または街灯のような高い位置に取付けられた外部構造物に設けられる。図面では外部構造物の一例として、Ｈビームが適用された。昇降体４００は、ユーザーの操作によりワイヤロープ１４０によって上下に移動して、本体１００との結合もできる。また、昇降体４００には電灯１０が設けられるが、このときの電灯１０をかけるための連結部４４０が昇降体４００の下端に設けられて、 電灯１０に電源を供給するための電線１４が昇降体４００と連結される。また、電灯１０の周りにはかさ１２を設けて光の方向を調節可能であり、別途の安定器１４が備えうる。図面の部材番号９００は、本発明の高所照明灯設備を操作するためのコントローラー９００である。
【００２６】
図２ないし図５は、本発明の高所照明灯設備に備えられた本体１００と昇降体４００の内部構成を各々正面及び側面から見た図面である。図面で、図２及び図４は、本体１００と昇降体４００が相互に分けられた状態を示し、図３及び図５は、本体１００と昇降体４００が相互に結合された状態を示す。
【００２７】
図面を参照すると、本体１００は、支持ブラケット１１０によって建物の天井に取付けられるが、支持ブラケット１１０は、ボルト１１２によって工場の天井に設けられたＨビームと結合され、支持ブラケット１１０から延びた側面ブラケット１１４は、ほかの結合具１１６によって本体１００の側面に結合される。この時、支持ブラケット１１０が傾いた天井に取付けられても、本体１００と側面ブラケット１１４の間の傾きを調整することによって、本体１００が傾かずに設置可能であり、このような状態は本体１００の側面を示す図４及び図５によく示されている。
【００２８】
本体１００内には一定の大きさの空間が形成されて、この空間内には昇降体４００を昇降させるための駆動手段が設けられる。より詳しく説明すると、本体１００内には正逆モ一タ１２０が一側部に設けられて、また正逆モ一タ１２０と軸結合されるドラム１３０が本体１００内に設けられる。ドラム１３０は、正逆モ一タ１２０から動力を伝達され回転しつつワイヤロープ１４０をドラム１３０に巻き取ったり巻き戻したりする。また、正逆モ一タ１２０とドラム１３０との間には、ギアボックス（１２５、図６参照）が設けられて、ドラム１３０の回転速度を調節するようになる。
【００２９】
また、本体１００内には、一つ以上の案内プーリ１５０が設けられる（図６参照）。案内プーリ１５０は、ドラム１３０に巻き取られるワイヤロープ１４０の方向を案内して本体１００の中心から垂直方向に向かせるようにする。案内プーリ１５０の個数及び形状は必要によって変更可能であり、特に限定されない。
【００３０】
本体１００の下部には、所定形状のケーシング１６０が固定される。ケーシング１６０は、昇降体４００が入出できるように下部が開放されており、内部には後述する上側端子部２００が設けられる。また、ケーシング１６０の内面には、後述するストッパー３００が設けられて、このストッパー３００が回動できる空間を確保するための溝１６１が形成される。ストッパー３００及び溝１６１は後で詳しく説明される。
【００３１】
上側端子部２００はケーシング１６０内部に安着されて、このためケーシング１６０は上部より下部の幅が小さく形成され、上側端子部２００が安着される部分に段部１６２が形成される。また、ケーシング１６０の段部１６２と本体１００の下端の間にはガイド棒２１１が設けられ、上側端子部２００にはガイド棒２１１が挿入されるガイド孔２１０が形成される。ガイド孔２１０は約９０°間隔に四つが形成され、この形状は上側端子部２００のみを別途に示す図７及び図８によく示されている。図面に示されたのように、上側端子部２００は四方向に延長形成される突出支持ブラケット２１２を備えて、ガイド孔２１０は各突出支持ブラケット２１２の端部近傍に形成される。また、各突出支持ブラケット２１２の間には一定の空間２１３が形成されて、ストッパー３００がこの空間２１３に設けられて作動するようになる。また、上側端子部２００の下面の中心は一定直径を持つ円板状の平面に形成され、上側端子部２００の中心にはワイヤロープ１４０が垂直に貫通できるように通孔２２０が形成される。
【００３２】
上側端子部２００下面の円板状の平面部には、一定の大きさと面積を持つ上側接触端子２４０が設けられる。本発明の実施例において、上側端子部２００には二つの環状の接触端子２４１、２４２が設けられて、各接触端子は内側の接触端子２４１及び外側の接触端子２４２と称される。このような内側及び外側の接触端子２４１、２４２は、一側が折曲された状態に上側端子部２００内に挿入されて締結部材２６０によって固定される。また、示されていないが、内側及び外側接触端子２４１、２４２は電源と通電されている。
【００３３】
また、このとき、内側及び外側接触端子２４１、２４２には、スプリング２５０が設けられうる。このスプリング２５０は、後述するのように昇降体４００が上昇して上側端子部２００を上へ押し上げた状態に固定されるとき、上側接触端子２４０を下方へ押圧して後述する下側接触端子４２０とより堅固に接触を維持できるようにする。この時、スプリング２５０は、内側及び外側接触端子２４１、２４２共に設置可能であり、またはこの中一つの接触端子のみに設けられうる。図１３ないし図１５には、内側の接触端子２４１のみにスプリング２５０が設けられた構成が示されており、またスプリング２５０は上側端子部２００の下部に形成されたスプリング溝２５２に挿入されている。
【００３４】
上側端子部２００の上面は、本体１００の下面と一定間隔を置いて離れており、ガイド棒２１１に沿って上下へ移動できる。また、ガイド棒２１１の周りには、本体１００と上側端子部２００との間に一定の弾性力を持つスプリング２３０が設けられて、上側端子部２００が弾性的に下方へ押圧される。従って、上側端子部２００は昇降体４００が上昇するとき、昇降体４００の上部に設けられた上側接触端子４２０によって押されて上へ移動し、以後スプリング２３０によって下へ押されて上下部接触端子２４０、４２０の接触状態が堅固に維持されるようになる。
【００３５】
ストッパー３００は、上側端子部２００の突出支持ブラケット２１２の間に形成された空間２１３でケーシング１６０の内壁に設けられて、後述する昇降体４００を選択的に係止維持／係止解除できるように構成される。
【００３６】
図９及び図１０を参照すると、このようなストッパー３００は、本発明の実施例において、上側端子部２００の突出支持ブラケット２１２の間に形成された全ての空間２１３でケーシング１６０に設けられたブラケット３１０と結合される。このとき、ストッパー３００とブラケット３１０はヒンジ軸３２０で連結されて、ストッパー３００は一定区間内で回転できる。また、ヒンジ軸３２０にはスプリング３３０が設けられて、外力が作用しないときにはストッパー３００を常に水平状態に維持するようにする。スプリング３３０は一側がブラケット３１０に固定され、他側がストッパー３００に固定される。
【００３７】
このとき、ストッパー３００が設けられた領域で、ケーシング１６０は上部に広い領域を持つが、下部は幅が狭くなってストッパー３００の回転に邪魔になる可能性がある。従って、ケーシング１６０は、ストッパー３００の下部、即ち、段部１６２の下部にストッパー３００が一定区間ほど回転できるように溝１６１が形成される。また、ストッパー３００の端部は、昇降体４００の側部に自然に押されるようにラウンド状になる。ストッパー３００と溝１６１の形状及びストッパー３００の回転区間は、図１１によく示されている。
【００３８】
一方、本発明では、昇降体４００の位置を固定させるため、スプリングで連動されるストッパー３００を用いたが、この他にも昇降体４００の位置を適切に固定できればほかの構造も可能である。例えば、ストッパー３００の位置に電磁気場によって突出部が入出するソレノイドタイプの駆動部を設けて、昇降体４００を上昇させると、突出部が突出されて昇降体４００が係止するようにし、昇降体４００を下降させると、突出部を入れるようにして昇降体４００の係止を解除するように構成できる。
【００３９】
昇降体４００は、ワイヤロープ１４０によって本体１００と連結されて上側端子部２００と完全に接触する位置から地上まで移動できる。図２ないし図５と図１２をともに参照すると、このような昇降体４００は、上部に下側端子部４１０が設けられる。下側端子部４１０には、上面に上側端子部２００の上側接触端子２４０に対応する下側接触端子４２０が備えられる。このとき、本実施例において、下側接触端子４２０も、また上側接触端子２４０と同様に円形の環状から成る内側及び外側接触端子４２１、４２２で成る。このような内側及び外側接触端子４２１、４２２は、一端部が折曲された状態で下側端子部４１０の内へ挿入されて、各接触端子４２１、４２２の挿入された部分は別途の締結部材によって下側端子部４１０と結合される。
【００４０】
また、昇降体４００の外周面には、ストッパー３００と接触する係止部４３０が形成される。係止部４３０は、ストッパー３００を押して回動させ得、ストッパー３００に係止されて昇降体４００の位置を固定させる役割もする。
【００４１】
昇降体４００の下部には、また照明灯を設けるための連結部４４０が設けられて、連結部４４０はホック状またはねじ状などに作製されうる。また、昇降体４００には、照明灯に接続された電線を下側接触端子４２０へ案内するための電線孔４５０が形成される。
【００４２】
一方、昇降体４００の上側中央部には、ワイヤロープ１４０の端部が固定されるが、このとき、ワイヤロープ１４０は、昇降体４００の上昇・下降時荷重が耐えられるように十分な強度を持たなければならない。また、ワイヤロープ１４０は、照明灯が設けられる環境を考慮して昇降体４００が地面に隣接する所まで下降できるように十分な長さを持つべきであり、案内プーリ１５０によって案内されつつドラム１３０に巻き取られるように柔軟性を持つべきである。また、作業場の環境、特に照明灯が設けられる高さを考慮して、ワイヤロープ１４０の所定位置には後述する第１リミットスイッチ５００（図６参照）によって感知される接触子（Ｃｏｎｔａｃｔ  Ｍａｒｋ）１１４が設けられる。接触子１４１は、鉛玉またはゴムパッキングなどでワイヤロープ１４０の一部表面を囲むように設けられて、昇降体４００が所定高さまで上昇したとき、第１リミットスイッチ５００と接触するようになる。また、接触子１４１が第１リミットスイッチ５００に接触すると、正逆モ一タ１２０の電源を非常に短い間隔で繰り返して連結／遮断させワイヤロープ１４０をゆっくり巻き上げるようになる。
【００４３】
接触子１４１が第１リミットスイッチ５００に接触する時期は、昇降体４００の下側接触端子４２０が上側端子部２００の上側接触端子２４０に隣接するように近づいた時であるので、この時から昇降体４００はゆっくり上昇して下側接触端子４２０と上側接触端子２４０とを接触させるようになる。このように正逆モ一タ１２０をゆっくり駆動することは、電流調節装置を利用せず、専ら電源を非常に短い間隔で繰り返して連結／遮断させることで可能である。従って、このような駆動方法は、正逆モ一タ１２０の回転速度を制御するためのエンコーダやインバータのような付属装備が不要になるため、製造原価を減らすとともに故障が頻繁なエンコーダ及びインバータを使用しないためより安定的である。
【００４４】
このように接触子は、またワイヤロープ１４０の最上段にも設けられうる。この接触子１４２は、昇降体４００が高い位置にあるときにはドラム１３０に巻き取られており、昇降体４００が地面と近い所定高さまで下降したとき、第１リミットスイッチ５００に感知され、この時から正逆モ一タ１２０の電源を短い間隔で繰り返して連結／遮断させて、照明灯１０をゆっくり移動させることである。この場合、昇降体４００は、地面と近い位置で徐々に移動して止まるようになるため、地面に設けられた他の装備と電灯がぶつかって破損されることを防止できるようになる。
【００４５】
図４及び図５、また図１３ないし図１５を参照すると、ケーシング１６０の側壁の一定部位には、第２リミットスイッチ５１０が設けられる。第２リミットスイッチ５１０は、上側端子部２００が上昇することを感知して、正逆モ一タ１２０の駆動を解除して照明に電源を供給させる役割をする。即ち、昇降体４００が上昇して下側接触端子４２０が上側接触端子２４０と接触するときには、上側端子部２００が小幅上昇するようになるが、 第２リミットスイッチ５１０は、これを感知して正逆モ一タ１２０の駆動を止めるようにする。
【００４６】
また、本体１００の下部には第３リミットスイッチ５２０が設けられるが、第３リミットスイッチ５２０は昇降体４００を下降させる始点を判断する。昇降体４００を下降させるためには、係止部４３０に係止されているストッパー３００を解除しなければならないが、このためには先ず昇降体４００を一定の高さほど上昇させなければならない。このとき、昇降体４００は、側面がストッパー３００から完全に外れるまで上昇して、この場合上側端子部２００もガイド棒２１１に設けられたスプリング２３０を圧縮しつつ共に上昇するようになる。このとき、上側端子部２００の上部面が第３リミットスイッチ５２０に到達すると、昇降体４００の側面はストッパー３００から完全に外れるようになり、このときの第３リミットスイッチ５２０は信号を伝送して正逆モ一タ１２０を逆駆動させることによって、昇降体４００を下に移動させるようになる。
【００４７】
図１６ａないし図１６ｅ及び図１７ａないし図１７ｇは、昇降体４００が上昇してストッパー３００に係止される過程及び昇降体４００がストッパー３００から解除されて下降する過程を各々示す。これらの図面を参照して各リミットスイッチ及びストッパーの作動原理を説明する。
【００４８】
まず、上昇過程において、昇降体４００は、持続的に上昇してワイヤロープ１４０の接触子１４１が第１リミットスイッチ１５０と接触するようになり、このときから正逆モ一タ１２０の電源を短い間隔で繰り返して連結／遮断させ駆動して、昇降体４００を徐々に上昇させるようになる。昇降体４００が上昇し続けると、昇降体４００の係止部４３０が図１６ａに示されたように、水平状態にあるストッパー３００に接触するようになる。この状態で昇降体４００は図１６ｂに示されたように上昇し続けて、係止部４３０がストッパー３００を上に押し上げるとともに、下側端子部４１０の下側接触端子４２０が上側端子部２００の上側接触端子２４０と互いに接触するようになる。この状態で昇降体４００は、図１６ｃのように上昇し続けて、上側端子部２００を上へ押し上げて、係止部４３０がストッパー３００を外れる直前に第２リミットスイッチ５１０がこれを感知して正逆モ一タ１２０の駆動を停止させる。このとき、加速力によって係止部４３０は、図１６ｄのようにストッパー３００を外れるようになる。このとき、正逆モ一タ１２０を瞬間的に逆回転させると、図１６ｅに示されたのように係止部４３０が下に移動してストッパー３００の上に係止されるようになる。そうすると、上側端子部２００はガイド棒２１１に設けられたスプリング２３０によって下へ押圧されて、上下側接触端子２４０、４２０が互いに堅固に接触される。また、このときには、上下側接触端子２４０、４２０が持続的に接触された状態であるので、第２リミットスイッチ５１０の信号によって電源が接触端子２４０、４２０を通じて照明灯１０に供給されて火をつけるようになる。
【００４９】
次に、昇降体４００を下に下げる過程での作動過程を説明する。
【００５０】
まず、下降信号と同時に照明灯１０に供給される電源を遮断する。その後図１７ａのように昇降体４００の係止部４３０がストッパー３００に係止されている状態から、正逆モ一タ１２０が駆動して昇降体４００を上側に引き上げる（図１７ｂ参照）。そうすると、正逆モ一タ１２０は、図１７ｃのようにストッパー３００が昇降体４００の側面を完全に外れるまで、昇降体４００を持続的に上昇させて、 これとともに上側端子部２００も上へ上昇するようになって本体１００の下端面と殆ど当接する位置まで移動する。このとき、ストッパー３００は、昇降体４００の側面を完全に外れてスプリング３３０によって水平位置に戻る。また、このとき、上側端子部２００が本体１００の下部に設けられた第３リミットスイッチ５２０と相互に接触するようになり、このときから第３リミットスイッチ５２０の感知信号によって正逆モ一タ１２０は逆に駆動して昇降体４００を下部へ移動させるようになる。このとき、上側端子部２００はスプリング２３０の復元力によってガイド棒２１１に案内され昇降体４００とともに下部へ移動する。従って、昇降体４００は、下部に移動して図１７ｄに示されたように昇降体４００の下端がストッパー３００と接触するようになる。この状態で、正逆モ一タ１２０は持続的に駆動してワイヤロープ１４０がドラム１３０から巻き戻し続け、昇降体４００が重力によって下部に移動し、それによって図１７ｅ及び図１７ｆに示されたように昇降体４００の側部及び係止部４３０がストッパー３００を通りすぎるようになり、ストッパー３００は押されてケーシング１６０の溝１６１に回転移動するようになる。このとき、上側端子部２００は、ケーシング１６０によって段部１６２にかかって一定位置に止まるようになって、従って上側端子部２００の上側接触端子２４０は下側端子部４１０の下側接触端子４２０から相互に離れるようになる。以後、昇降体４００の係止部４３０がストッパー３００から完全に外れると、スプリング３３０の復元力によってストッパー３００はまた水平状態に戻る。
【００５１】
図１８ａないし図２０ｂは、本発明の上側端子部２００に設けられた上側接触端子２４０と下側端子部４１０に設けられた下側接触端子４２０との多様な実施例を示す。前述した説明では、上側接触端子２４０と下側接触端子４２０は、各々二つの対応する円形の環状の接触端子２４１、２４２ 及び４２１、４２２で形成されることと説明された。このような形態は、各々の環状の接触端子２４１、２４２ 及び４２１、４２２が互いに面接触することによって接点接触の安定性をもたらすものである。しかし、接触端子の構造は、図１８ａのように上側接触端子２４０は二つの円形の環状で作製され、下側接触端子４２０は上側接触端子２４０と対応する半径に形成された四つの接点６００形態に作製することも可能である。昇降体４００を引き上げるとき、昇降体４００と上側端子部２００はワイヤロープ１４０によって互いに中心が合わせられるため、昇降体４００の下部端子部４１０に形成された接点６００は、ワイヤロープ１４０から同一の長さほど離れた上側端子２４０と接触するようになる。これは昇降体４００がワイヤロープ１４０を中心に回転しても同一の結果が得られる。また、これと逆に、図１８ｂに示されたように、上側接触端子２４０を四つの接点６００に作製し、下側接触端子４２０を二つの円形の環状に作製することもできる。
【００５２】
また、このような接触端子２４０、４２０の形態は、図１９ａ及び図１９ｂに示されたように、一方の接触端子は二つの円形の環状で作製し、他方は接点６００形態で作製して、この接点６００がこの環状の接触端子に対応する半径に形成されるようにも構成できる。また、他の例として、図２０ａ及び図２０ｂに示されたように、一方の接触端子は二つの円形の環状で作製して、他方は一つの環状の接触端子（図２０ａの４２１、図２０ｂの２４１）と接点６００で作製することも可能である。この他にも、接触端子２４０、４２０の形態は安定した接触を保障すればいかなる形態にも変形されうることは言うまでもない。例えば、上下側接点端子２４０、４２０が環状でなく、六角形などの多角形状を持つことも可能であり、これに対しては特に限らない。
【００５３】
このように本発明に係る高所照明灯設備は、体育館、工場、結婚式場、ホテルロビーなどの建築物に架設でき、また道路の街灯にも設けられる。このとき、設置環境によって照明灯は、一つ以上設置可能であり、場合によっては数百個の照明灯を同時に設けることも可能である。従って、本発明の高所照明灯設備を操作するためのコントローラー９００は、多数個の高所照明灯設備を同時に操作できるものが望ましい。例えば、各々の高所照明灯設備に一連番号を付与し、各一連番号を入力して所望の高所照明灯設備を選択した後、選択された高所照明灯設備に対してのみ操作を行うことである。また、コントローラー９００は、設けられた全ての高所照明灯設備を同時に操作する機能も備えられる。このようなコントローラー９００は、有線のみでなく無線でも操作でき、無線で操作する場合、コントローラー９００には別途の送信部が備えられ、各高所照明灯設備にもコントローラー９００の無線信号を受信するための受信部が備えられるべきである。
【００５４】
【産業上利用可能性】
このように構成された本発明に係る照明灯用高所照明灯設備は、建物の天井または街灯のような高い位置に取付けられる照明灯をただ一本のワイヤロープで地上まで移動させうるため、照明灯の修理及び交換が非常に容易であるという長所がある。
【００５５】
また、本発明の高所照明灯設備は、昇降体の係止部がストッパーと連動され機械的に本体と結合及び解除され得、本体と結合されるとき、ストッパーが昇降体を安定に支持するため、構造的に安定して故障がほとんどない。
【００５６】
また、上側端子部と下側端子部に設けられた接触端子が相互にずれなく安定して面接触でき、スプリングで接触端子を押圧することによって接触端子間の接触が安定に維持される。
【００５７】
本明細書に記載された実施例と図面に示された構成は、本発明のもっとも望ましい実施例に過ぎず、発明の技術的思想の全てを表すものではないので、本出願時点においてこれらに代替可能な多様な均等物と変形例がありうることを理解すべきである。
【図面の簡単な説明】
【図１】図１は、本発明に係る昇降機能を持つ高所照明灯設備に照明灯が設けられて下降された状態を示す概略図である。
【図２】図２は、本発明に係る高所照明灯設備の本体と昇降体が相互に分けられた状態を正面から見た断面図である。
【図３】図３は、本発明に係る高所照明灯設備の本体と昇降体が相互に結合された状態を正面から見た断面図である。
【図４】図４は、本発明に係る高所照明灯設備の本体と昇降体が分けられた状態を側面から見た断面図である。
【図５】図５は、本発明に係る高所照明灯設備の本体と昇降体が相互に結合された状態を側面から見た断面図である。
【図６】図６は、本発明に係る高所照明灯設備の本体を上から見た内部構成図である。
【図７】図７は、本発明に係る高所照明灯設備の上側端子部を示す斜視図である。
【図８】図８は、図７の上側端子部を示す底面図である。
【図９】図９は、本発明に係る高所照明灯設備のストッパーを示す斜視図である。
【図１０】図１０は、図９のストッパーが本体のケーシングに設けられた構造を示す平面図である。
【図１１】図１１は、図９に示されたストッパーの回転区間を示する図面である。
【図１２】図１２は、本発明に係る高所照明灯設備の昇降体を示する斜視図である。
【図１３】図１３は、本発明に係る高所照明灯設備で昇降体の高さ変化による各部品の変化を示す図面である。
【図１４】図１４は、本発明に係る高所照明灯設備で昇降体の高さ変化による各部品の変化を示す図面である。
【図１５】図１５は、本発明に係る高所照明灯設備で昇降体の高さ変化による各部品の変化を示す図面である。
【図１６ａ】図１６ａは、昇降体の昇降過程でストッパーと昇降体の連動過程を説明するための図面である。
【図１６ｂ】図１６ｂは、昇降体の昇降過程でストッパーと昇降体の連動過程を説明するための図面である。
【図１６ｃ】図１６ｃは、昇降体の昇降過程でストッパーと昇降体の連動過程を説明するための図面である。
【図１６ｄ】図１６ｄは、昇降体の昇降過程でストッパーと昇降体の連動過程を説明するための図面である。
【図１６ｅ】図１６ｅは、昇降体の昇降過程でストッパーと昇降体の連動過程を説明するための図面である。
【図１７ａ】図１７ａは、昇降体の下降過程でストッパーと昇降体の連動過程を説明するための図面である。
【図１７ｂ】図１７ｂは、昇降体の下降過程でストッパーと昇降体の連動過程を説明するための図面である。
【図１７ｃ】図１７ｃは、昇降体の下降過程でストッパーと昇降体の連動過程を説明するための図面である。
【図１７ｄ】図１７ｄは、昇降体の下降過程でストッパーと昇降体の連動過程を説明するための図面である。
【図１７ｅ】図１７ｅは、昇降体の下降過程でストッパーと昇降体の連動過程を説明するための図面である。
【図１７ｆ】図１７ｆは、昇降体の下降過程でストッパーと昇降体の連動過程を説明するための図面である。
【図１７ｇ】図１７ｇは、昇降体の下降過程でストッパーと昇降体の連動過程を説明するための図面である。
【図１８】図１８ａ及び図１８ｂは、本発明に係る高所照明灯設備に適用された各接触端子の多様な変形例を示す図面である。
【図１９】図１９ａ及び図１９ｂは、本発明に係る高所照明灯設備に適用された各接触端子の多様な変形例を示す図面である。
【図２０】図２０ａ及び図２０ｂは、本発明に係る高所照明灯設備に適用された各接触端子の多様な変形例を示す図面である。
【図１】
2004518245.tif 000003
【図２】
2004518245.tif 000004
【図３】
2004518245.tif 000005
【図４】
2004518245.tif 000006
【図５】
2004518245.tif 000007
【図６】
2004518245.tif 000008
【図７】
2004518245.tif 000009
【図８】
2004518245.tif 000010
【図９】
2004518245.tif 000011
【図１０】
2004518245.tif 000012
【図１１】
2004518245.tif 000013
【図１２】
2004518245.tif 000014
【図１３】
2004518245.tif 000015
【図１４】
2004518245.tif 000016
【図１５】
2004518245.tif 000017
【図１６ａ】
2004518245.tif 000018
【図１６ｂ】
2004518245.tif 000019
【図１６ｃ】
2004518245.tif 000020
【図１６ｄ】
2004518245.tif 000021
【図１６ｅ】
2004518245.tif 000022
【図１７ａ】
2004518245.tif 000023
【図１７ｂ】
2004518245.tif 000024
【図１７ｃ】
2004518245.tif 000025
【図１７ｄ】
2004518245.tif 000026
【図１７ｅ】
2004518245.tif 000027
【図１７ｆ】
2004518245.tif 000028
【図１７ｇ】
2004518245.tif 000029
【図１８】
2004518245.tif 000030
【図１９】
2004518245.tif 000031
【図２０】
2004518245.tif 000032
【国際公開パンフレット】
2004518245.tif 000033
2004518245.tif 000034
2004518245.tif 000035
2004518245.tif 000036
2004518245.tif 000037
2004518245.tif 000038
2004518245.tif 000039
2004518245.tif 000040
2004518245.tif 000041
2004518245.tif 000042
2004518245.tif 000043
2004518245.tif 000044
2004518245.tif 000045
2004518245.tif 000046
2004518245.tif 000047
2004518245.tif 000048
2004518245.tif 000049
2004518245.tif 000050
2004518245.tif 000051
2004518245.tif 000052
2004518245.tif 000053
2004518245.tif 000054
2004518245.tif 000055
2004518245.tif 000056
2004518245.tif 000057
2004518245.tif 000058
2004518245.tif 000059
2004518245.tif 000060
2004518245.tif 000061
2004518245.tif 000062
2004518245.tif 000063
2004518245.tif 000064
2004518245.tif 000065
2004518245.tif 000066
2004518245.tif 000067
2004518245.tif 000068
2004518245.tif 000069
2004518245.tif 000070
2004518245.tif 000071
2004518245.tif 000072
2004518245.tif 000073
2004518245.tif 000074
2004518245.tif 000075
2004518245.tif 000076
2004518245.tif 000077
2004518245.tif 000078
2004518245.tif 000079
2004518245.tif 000080
2004518245.tif 000081
2004518245.tif 000082
2004518245.tif 000083
2004518245.tif 000084
2004518245.tif 000085
2004518245.tif 000086
2004518245.tif 000087
2004518245.tif 000088
2004518245.tif 000089
2004518245.tif 000090
2004518245.tif 000091
【手続補正書】
【提出日】平成14年7月19日(2002.7.19)
【手続補正１】
【補正対象書類名】明細書
【補正対象項目名】００５２
【補正方法】変更
【補正の内容】
【００５２】
また、このような接触端子２４０、４２０の形態は、図１９ａ及び図１９ｂに示されたように、一方の接触端子は二つの円形の環状で作製し、他方は接点６００形態で作製して、この接点６００がこの環状の接触端子に対応する半径に形成されるようにも構成できる。また、他の例として、図２０ａ及び図２０ｂに示されたように、一方の接触端子は二つの円形の環状で作製して、他方は一つの環状の接触端子（図２０ａの４２１、図２０ｂの２４１）と接点６００で作製することも可能である。この他にも、接触端子２４０、４２０の形態は安定した接触を保障すればいかなる形態にも変形されうることは言うまでもない。例えば、上下側接点端子２４０、４２０が環状でなく、六角形などの多角形状を持つことも可能であり、これに対しては特に限らない。図１８ａないし図２０ｂにおいて、環状の接触端子は、上側端子部２００と下部端子部４１０の接触端子２４０、４２０間の安全な接触を保障できれば半円又は円弧の形状もよい。このような接触端子の変形は、コストにおいても有利である。
【国際調査報告】
2004518245.tif 000092
2004518245.tif 000093